(57)【要約】【課題】便器に対する排尿時に便器外に飛散する尿飛沫による床面の汚染を自動的に、簡単かつ確実に清掃する機能を備えた床材を提供する。【解決手段】板状の床材の表面に沿う広がりを持って開口するノズルを床材表面に設け、このノズルにより床材表面のほぼ全面を一端側から他端に向け面状に覆うジェット噴流を形成し、このジェット噴流により、床材表面に付着する尿飛沫があればこれを剥離して捕捉し、落下してくる尿飛沫があれば表面に達する以前に捕捉して、床材他端側の下流に運ぶ。下流位置にジェット噴流とほぼ直交する気液分離壁体を設け、ジェット噴流の気体分を上方に向けて減衰空間に導き、液体分は下方に向けて排水する。【選択図】    図３Ｂ
2008148963.tif 000002
【特許請求の範囲】
【請求項１】
板状の床材の表面に床材の一端側から他端側に向けて開口させたノズルと、床材に設けてノズルに連結した導入口と、導入口に加圧空気を供給してノズルから床材の表面を覆うジェット噴流を生じさせる加圧空気供給装置と、床材の他端側のジェット噴流下流位置においてジェット噴流と直交する壁体を含む気液分離装置とよりなり、ジェット噴流は床材表面の上方から落下する液滴を床材表面に達する以前に捕捉しかつ床材表面に付着する液滴を剥離させて下流位置に運び、気液分離装置の壁体に衝突して液体分を下方に、気体分を上方に分離することを特徴とする清掃機能付き床材。
【請求項２】
ノズルは床材の一端側面とほぼ平行な段部において床材の他端にむけて開口し、導入口は床材の一端側面に開口し、床材は導入口からノズルまで伸びる連通路を備えることを特徴とする請求項１の清掃機能付き床材。
【請求項３】
段部は床材の一端側面から同じ高さで続く頂面を有する棚部の他端面として形成され、連通路は床材の一端側面から段部のノズルまで、棚部の頂面に沿って伸びることを特徴とする請求項２の清掃機能付き床材。
【請求項４】
段部は床材の一端側で緩斜面を介して床材の表面から立ち上がる細幅の頂面を有する棚部の床材他端側に形成され、連通路は床材の一端側面から緩斜面と細幅の頂面に沿って段部のノズルまで伸びることを特徴とする請求項２の清掃機能付き床材。
【請求項５】
少なくともノズルはスリット状の断面を有することを特徴とする請求項１ないし４のいずれかの清掃機能付き床材。
【請求項６】
少なくとも連通路は多数の細孔でなることを特徴とする請求項１ないし４のいずれかの清掃機能付き床材。
【請求項７】
前記ノズルは前記床材の他端方向において斜め上方に向かう部分を有することを特徴とする請求項１ないし６のいずれかの清掃機能付き床材。
【請求項８】
棚部は、それぞれ床体の一端側面からの距離を変えた複数位置に段部を有する複数の棚部を多段状に設けてなり、各段部のノズルからのジェット噴流は順次重畳されることを特徴とする請求項３の清掃機能付き床材。
【請求項９】
複数の棚部の多段状の段部は互いに等間隔に設けられることを特徴とする請求項８の清掃機能付き床材。
【請求項１０】
多段状の段部の頂縁を結ぶ線がほぼ水平となるように複数の棚部は設けられることを特徴とする請求項８または９に記載の清掃機能付き床材。
【請求項１１】
少なくとも棚部はコルゲート構造体でなり、連通路を構成するコルゲート構造体の波状部は棚部の一端側面から段部まで伸びることを特徴とする請求項３の清掃機能付き床材。
【請求項１２】
細幅の棚部は床材の一端側面からの距離を変えた複数位置に設けられることを特徴とする請求項４の清掃機能付き床材。
【請求項１３】
複数の細幅の棚部はそれぞれの長さ方向においてそれぞれ等間隔で複数の区分に分割され、それぞれの棚部の各分割区分は隣接する棚部の各間隔部分に面するように互い違いに配置されることを特徴とする請求項１２の清掃機能付き床材。
【請求項１４】
床材の表面が高撥水性を備えることを特徴とする請求項１ないし１３のいずれかの清掃機能付き床材。
【請求項１５】
加圧空気供給装置は人体を感知する感知スイッチおよびこの感知スイッチのオン時に作動して加圧空気を発生する加圧空気発生源を備え、感知スイッチは人体を感知してオンして人体の存在中に加圧空気発生源を作動させ、ノズルからジェット噴流を生じさせることを特徴とする請求項１ないし１４のいずれかの清掃機能付き床材。
【請求項１６】
加圧空気供給装置は人体を感知するスイッチを含む感知回路およびこの感知回路のオン時に作動して加圧空気を発生する加圧空気発生源を備え、感知回路は人体が床材を離れたときから一定時間オンして加圧空気発生源を作動させることを特徴とする請求項１ないし１４のいずれかの清掃機能付き床材。
【請求項１７】
ノズルはジェット噴流発生用ノズルと併設した洗浄水ノズルを含み、洗浄水ノズルに通じる導入口に洗浄水を供給して洗浄水噴流を発生する洗浄水噴流発生源を更に備え、加圧空気供給装置の感知回路は、加圧空気発生源の一定時間作動に先立って、人体が床材を離れたときから一定時間だけ洗浄水噴流発生源を作動させることを特徴とする請求項１６の清掃機能付き床材。
【請求項１８】
洋式腰掛型または和式床付け型の水洗大便器と、請求項１ないし１７のいずれかの清掃機能付き床材でなると共に前記水洗大便器を取り囲む床面を成す床体とを備え、
床体は、使用者が接近する水洗大便器の前方側に配置され、少なくとも加圧空気供給装置の供給端とこの供給端に接続したノズルとを含む床材でなる前方床面部分と、水洗大便器の両側を挟んで水洗大便器の後方まで延びる床材でなる一対の側方床面部分と、水洗大便器の後方において一対の側方床面部分の後端縁に連接した気液分離装置とよりなることを特徴とする、清掃機能付き床材を用いた床体と組合せた水洗大便器。
【請求項１９】
立設されて使用者の排尿を受ける受面部およびこの受面部に上方から水洗流を供給する給水装置を含む本体と、使用者が立つ床面のレベルで受面部の下端に面しかつ排水口を有するシンク部及びこのシンク部に連続すると共に床面のレベルに展延して使用者が載るステップ部を含みかつ請求項１ないし１７のいずれかの清掃機能付き床材を用いて本体と一体に形成される床体とよりなり、
床体のステップ部は、シンク部の排水口を有する内底面に連なる内端縁とこの内端縁とほぼ平行しかつ使用者の両足底面を受けるに充分な幅と長さをもって離間した外端縁との間において、外端縁側に少なくとも加圧空気供給装置の供給端を配置し、その内側に床材を配置してなり、
気液分離装置の壁体は、ステップ部の内端縁と対峙する本体の受面部の下方部分、または、シンク部の内底面から上方に離間して設けた受面部下端から後退した位置で立ち上がるとともに受面部下端部分の背面との間に減衰空間を形成するシンク部の後方周壁でなることを特徴とする、清掃機能付き床材を用いた床体と組合せた水洗小便器。
【請求項２０】
併置して立設され使用者の排尿を受ける複数の受面部、これら受面部の上部から各受面部に水洗流を供給する給水部、及び使用者が立つ床面のレベルにおいて各受面部の下端に面しかつ底面に排水口を有するシンク部を含む本体と、使用者が立つ床面のレベルにおいて前記複数の受面部の全幅にわたりシンク部に連続して展延して前記本体と一体に設けられかつ請求項１ないし１７のいずれかの清掃機能付き床材でなる床体とを備え、
床体は、シンク部の底面に連なる内端縁とこの内端縁と平行しかつ使用者の両足底面を受けるに充分な長さをもって離間する外端縁との間において、本体の複数の受面部の全幅に対応する横幅とした床材の前記一端側を外端縁側とすると共に床材の他端を内端縁側として配置し、外端縁側に加圧空気供給装置の少なくとも供給端を配置し、
気液分離装置の壁体は、床体の内端縁と対峙する複数の受面部の下方部分、もしくは、ほぼ床面のレベルにおいてシンク部底面から上方に離間させた受面部下端から後退した位置で立ち上がり、受面部の背面との間に減衰空間を形成するシンク部の後方周壁よりなることを特徴とする、清掃機能付き床材を用いた床体と組合せた水洗式の小便器組体。
【発明の詳細な説明】
【技術分野】
【０００１】
本発明は、主に液体の飛沫で汚染される床面を清掃する機能を備える床材と、この床材を用いた床体を便器本体と組み合わせ又は一体化してなる水洗便器と、更に、この床材を用いた床体と水洗便器の組体に関する。
【背景技術】
【０００２】
個人住宅用のみならず各種公共施設におけるトイレットルームの、特に便器周りの床面は使用の都度使用者が排泄する尿の飛沫で汚染される。汚染された床面は早期に清掃することが望ましいが、そのための方策は先ず人手による清拭あるいは洗浄の作業であり、公共施設にあってはこの作業のため専門の清掃作業員が必要である。この職種は近年志望者の数を減少させる一方、専門作業員の雇用費用を増大させている。したがって、人手を要することなく機械的に、或いは自動的に便器周りの床面を清掃する装置ないし設備が各種提案されている。
【０００３】
例えば特開平１−２８７３２８号公報に記載される小便器は、壁面に立設された小便器の下の床面上を壁面に対し前後方向に往復動する洗浄ブラシによって払掃する床清掃装置を備え、小便器への給水源とは別の配管で洗浄ブラシに洗浄水を供給し、床面下の排水パンから排水する。
【０００４】
実開平６−２６６９３号公報は一実施例として、床置き型と壁掛け型の双方における小便器の垂れ受け部下方の、あるいはその周囲の床面に排水用凹部を設け、これを透水性のカバーで覆い、清掃作業員がこの透水性カバーを水洗する構成を開示する。別の実施例では、壁掛け型小便機を設置した壁面と反対側の壁面から床面を下り勾配とし、人体を検知して反対側壁面のノズルから床面に水を流して洗浄し、小便器下方の排水溝から排水するようにしたトイレットルームの構成が開示されている。
【０００５】
トイレットブースの洗浄装置を開示する実開平３−１２５８７５号公報では、壁掛け型の小便器の両側と下側とを正面取付け壁から張り出す壁部で取り囲み、これらへ基部に設けた複数の吐水口から小便器の外面と床面とに水を吹き付けて洗浄し、床面に設けた排水口から排水する構成が提案される。
【０００６】
特開平８−１０３３９９号公報に記載されるトイレの床洗浄装置においては、使用者の履物から落ちる土砂を洗い流すために、便器の前後の壁面にトイレの幅方向に伸びる散水管を一定角度だけ軸回転させ、床面に散水された水を往復移動させる。
【０００７】
特開２００４−３１６２１１号公報に提案される床置型の男性用便器においては、床面に立設した主便器の両側壁の端縁面とその下方に続く垂れ受部の端縁面から垂れ受部内にかけて流水用樋を設け、これら端縁面の汚れを洗浄し得るようにする一方、主便器下方の床面に連結して設けた足元受皿に、主便器の排水路に接続した排水口を有する凹部を設け、その上面に格子状の踏み板を載せ、便器使用後に主便器内面と流水用樋と足元受け皿の凹部内周とに洗浄水を供給して、便器下部の床面も同時に洗浄する構成を示す。
【０００８】
更に、特開平６−２６０９０号公報に記載の水洗式小便器は、壁掛け式小便器の下部の使用者側に突き出す垂れ受部の更に下方の床面に、小面積の水洗式垂れ受け皿を設け、使用後に小便器本体と垂れ受け皿とを同時に洗浄する。
【特許文献１】特開平１−２８７３２８号
【特許文献２】実開平６−２６６９３号
【特許文献３】実開平６−２６６９３号
【特許文献４】実開平３−１２５８７５号
【特許文献５】特開平８−１０３３９９号
【特許文献６】特開２００４−３１６２１１号
【特許文献７】特開平６−２６０９０号
【発明の開示】
【発明が解決しようとする課題】
【０００９】
上記した特開平０１−２８７３２８号公報の床清掃装置は、常時は小便器を立設した壁面の下部に格納されている横長の回転ブラシつき洗浄機が、小便器洗浄用水の給水ノブ操作から所定時間後にモータで駆動され、給水を受けながら、床面とその下の排水パンを形成する床パネルの床面に沿って壁面から離れる方向に移動し、床パネル後端から折り返して往復する間にブラシと水で床面を洗浄する。洗浄後の水は排水パンに流下し、排水口から排出される。この構成は無人での床面の清掃効果は高いが、構造が複雑で、製造と維持にコストが掛かり過ぎるといる課題を含む。
【００１０】
実開平０６−２６６９３号公報の床面の排水凹部は人為的な洗浄を必要とし、また、床面に勾配をつけて流水で床面を洗浄する構成は効果的ではあっても、床面全般の勾配付けは使用者に危険を与えることになるので、この発明では滑り止めとして床面に小突起を設けているが、小突起は却って危険になる場合もあり得るし、余分なコストを要することは確かである。
【００１１】
実開平３−１２５８７５号公報の洗浄装置付きトイレットブースは小便器内外面全般と共に下方の床面を同時に洗浄する点で有利であるが、トイレットブースを形成する正面と両側壁面は多数の吐水口、開閉弁装置と配水管を内蔵するために壁厚が大きくなり、製造コストが嵩むのみでなく、限られたスペースに多数のトイレットブースを設置するときは不利となる。
【００１２】
特開平８−１０３３９９号公報の場合、散水管を軸回転させる装置を必要とする点で構造が複雑であり、また散水された水が床面で往復運動を生じるためにはかなりの水量を必要とする点においてもコスト高となる。
【００１３】
特開２００４−３１６２１１号公報の小便器は、主便器の両側壁の端縁面に流水用樋を設けてこれら端縁面の汚れを洗浄する点は画期的だが、樋の側縁外面は洗えずに残る。また、垂れ受部外側の床面に足元受け皿を設けてその凹面内を洗浄する点も画期的だが、飛散する尿が直接降りかかる格子状踏み板の洗浄は人手に頼るものとして残る。
【００１４】
特開平６−２６０９０号公報では、小面積の水洗式垂れ受皿が床面に、小便器本体の垂れ受部の下方において設けられるのみであるため、垂れ受部からほぼ垂直に落ちる垂れに対しては有効だが、垂直に落ちずに拡散して落ちる飛沫に対しては無力であり、垂れ受皿の周囲の床面は依然として人手による清掃を待たねばならない。
【００１５】
これら先行技術はいずれも便器周囲ないしその下方の床面の限定領域、あるいはトイレットルーム全体の床面における排尿の垂れと飛沫による汚染を、自動的又は人為的な水洗により清浄化することを提示する。住宅用の場合は通常手動の開弁動作で水洗が行なわれるが、公共施設における自動的な場合には、通常は便器毎に使用者が便器を離れる都度これを感知して一定時間あるいは一定水量の水洗を行なうか、複数の便器について、使用の有無と無関係に、ある一定時間ごとに間歇的に水洗が行なわれる。便器自体の一回の水洗に必要な水量は一般に小便器で約６リットル、大便器で約１２リットルとされている（「トイレ・近未来 ‐Dreams on a Railway‐」; http: //www.tsubasa.to/dreams/html/90-05.html）から、近時は節水型の水洗便器が普及してかなりこの水量は減じられているとしても、便器周りの床面の水洗用水量を加えれば、非常に大量の水が便器とトイレットルーム床面の自動水洗のために消費されていることは明らかである。本発明はこの問題を解決して、特に床面の洗浄あるいは清浄化に必要な水量を顕著に減じるか、又は不要とすると同時に、便器の周囲又は下方の限定領域に限られることなく、一台あるいは複数台の便器が置かれるトイレットルームの少なくとも便器下方部分又は全面に亘る広範囲の床面の清掃を可能とし、しかも人為的な清掃作業を不要とすることを課題とする。
【００１６】
本発明は上記の従来技術における問題点を解決するために提案されたもので、飛散排尿等の液体の飛沫による床面の汚染を自動的に、簡単かつ確実に清掃するのみでなく、落下してくる飛散尿滴を床面に達する以前に捕捉し排除する機能を備えた床材を提供することを目的とする。
【００１７】
本発明はまた、上記の床面を清掃する機能を備えた床材を、便器に関連して使用者の両足が置かれる床面部分に使用して、主として便器本体の使用後の水洗とは別個にこの床面部分も清掃し得るようにした小便器の提供を目的とする。
【００１８】
本発明は更に、上記の床面を清掃する機能を備えた床材と、単独又は複数の水洗便器とを組み合わせた組体の提供を目的とする。
【課題を解決するための手段】
【００１９】
前記課題を解決するため、本発明の清掃機能付き床材は、板状の床材の表面に床材の一端側から他端側に向けて開口させたノズルと、床材に設けてノズルに連結した導入口と、導入口に加圧空気を供給してノズルから床材の表面を覆うジェット噴流を生じさせる加圧空気供給装置と、床材の他端側のジェット噴流下流位置においてジェット噴流と直交する壁体を含む気液分離装置とよりなり、ジェット噴流は床材表面の上方から落下する液滴を床材表面に達する以前に捕捉しかつ床材表面に付着する液滴を剥離させて下流位置に運び、気液分離装置の壁体に衝突して液体分を下方に、気体分を上方に分離することを特徴とする。
【００２０】
本発明による清掃機能付き床材を用いた床体と組合せた洋式腰掛型または和式床付け型の水洗大便器は、請求項１ないし１７のいずれかの清掃機能付き床材でなると共に前記水洗大便器を取り囲む床面を成す床体とを備え、床体は、使用者が接近する水洗大便器の前方側に配置され、少なくとも加圧空気供給装置の供給端とこの供給端に接続したノズルとを含む床材でなる前方床面部分と、水洗大便器の両側を挟んで水洗大便器の後方まで延びる床材でなる一対の側方床面部分と、水洗大便器の後方において一対の側方床面部分の後端縁に連接した前記気液分離装置とよりなることを特徴とする。
【００２１】
本発明による清掃機能付き床材を用いた床体と組合せた水洗小便器は、立設されて使用者の排尿を受ける受面部およびこの受面部に上方から水洗流を供給する給水装置を含む本体と、使用者が立つ床面のレベルで受面部の下端に面しかつ排水口を有するシンク部及びこのシンク部に連続すると共に床面のレベルに展延して使用者が載るステップ部を含みかつ請求項１ないし１７のいずれかの清掃機能付き床材を用いて本体と一体に形成される床体とよりなり、床体のステップ部は、シンク部の排水口を有する内底面に連なる内端縁とこの内端縁とほぼ平行しかつ使用者の両足底面を受けるに充分な幅と長さをもって離間した外端縁との間において、外端縁側に少なくとも加圧空気供給装置の供給端を配置し、その内側に床材を配置してなり、気液分離装置の壁体は、ステップ部の内端縁と対峙する本体の受面部の下方部分、または、シンク部の内底面から上方に離間して設けた受面部下端から後退した位置で立ち上がるとともに受面部下端部分の背面との間に減衰空間を形成するシンク部の後方周壁でなることを特徴とする。
【００２２】
本発明による清掃機能付き床材を用いた床体と組合せた水洗式の小便器組体は、併置して立設され使用者の排尿を受ける複数の受面部、これら受面部の上部から各受面部に水洗流を供給する給水部、及び使用者が立つ床面のレベルにおいて各受面部の下端に面しかつ底面に排水口を有するシンク部を含む本体と、使用者が立つ床面のレベルにおいて前記複数の受面部の全幅にわたりシンク部に連続して展延して前記本体と一体に設けられかつ請求項１ないし１７のいずれかの清掃機能付き床材でなる床体とを備え、床体は、シンク部の底面に連なる内端縁とこの内端縁と平行しかつ使用者の両足底面を受けるに充分な長さをもって離間する外端縁との間において、本体の複数の受面部の全幅に対応する横幅とした床材の前記一端側を外端縁側とすると共に床材の他端を内端縁側として配置し、外端縁側に加圧気体供給装置の少なくとも加圧気体供給端を配置し、気液分離装置の壁体は、床体の内端縁と対峙する複数の受面部の下方部分、もしくは、ほぼ床面のレベルにおいてシンク部底面から上方に離間させた受面部下端から後退した位置で立ち上がり、受面部の背面との間に減衰空間を形成するシンク部の後方周壁よりなることを特徴とする。
[作用]
【００２３】
本発明の基本をなす清掃機能付き床材は、板状の床材の一端側から他端側に向かう一方向に、そして床材の表面に沿う広がりを持って開口して床材の表面に設けたノズルに、高圧空気供給装置によって床材の他面に設けた導入口を介して高圧空気を供給することにより、床材のほぼ全表面を覆うジェット噴流を形成し、上方から落下する飛散尿のような液滴を床材表面に達する以前に捕捉し、また既に床材表面に付着する液滴を剥離させて捕捉し、気液分離装置は床材の他端側の下流位置でジェット噴流とほぼ直角に交差する壁体でジェット噴流の液体分を下方に、気体分は上方に、それぞれ向きを変えて分離処理を可能とし、床材の表面は自動的に清掃される。
【発明の効果】
【００２４】
以上詳細に説明したように、本発明の清掃機能付き床材によれば、板状の床材の表面に、表面に沿う広がりを持つノズルを設け、このノズルにより床材の一端側から他端に向けて床材のほぼ全面を蓋うジェット噴流を生じさせるので、このジェット噴流の中流域に大便器を、または下流域に小便器を配置してこれら便器の使用者が飛散させる尿の飛沫を、床材表面に到達する以前に空中で、あるいは床材表面に既に付着していればこれを剥離させてジェット噴流に載せることにより、床材表面の汚染を予防しかつ清掃する。さらに、ジェット噴流の下流域において気体分と液体分とに分離し、液体すなわち尿分は便器の水洗流と共に排水させ、気体分は流速を減衰させるから、簡単に処理できる。
【発明を実施するための最良の形態】
【００２５】
以下に、本発明による清掃機能つき床材と、この床材と組み合わせた水洗大便器、小便器ならびに小便器組体とのいくつかの具体的な実施例について、添付の図面を参照して説明する。
【実施例１】
【００２６】
図１に本発明の実施例１における基本的な構成の清掃機能付き床材１０を示す。図において方形板状の床材１０のほぼ平坦な表面１０ａに、床材の一端側面１０ｂとほぼ平行に設けた段部１１を有する棚部１２を形成する。この棚部１２は、床材の一端側面１０ｂから段部１１まで、床材の表面１０ａと平行に、段部１１の高さを段差として拡がる表面と、その表面の内部に一端側面１０ｂに開口する導入口１３から段部１１に開口するノズル１４まで床材１０の長さ方向に表面と平行に伸び、かつこの長さ方向に直交する幅方向のほぼ全般に広がる連通路１５とを備えて形成される。
【００２７】
この場合、連通路１５は例えば断面をスリット状に形成し、入口１３から例えば加圧空気を連通路１５に供給すれば、加圧空気は細長いスリット状のノズル１４からジェット状に噴出され、段部１１から下流の床材１０の表面１０ａに沿って床材１０の長さ方向の他端１０ｃに向かう面状あるいは層状のジェット噴流を形成する。このジェット噴流によって、床材の段部１１から下流の表面１０ａに向け上方から落下して来る飛散尿は表面に達する以前に捕捉され、既に表面に付着する尿滴は剥離されて捕捉され、他端１０ｃに運ばれて床材表面１０ａは清掃される。
加圧空気の圧力調整により、ジェット噴流の流速を１５０から２００ｍ／secとし、実施した所、充分な捕捉結果が得られたが、ジェット噴流の流速はこれに限定するものではない。
【００２８】
床材１０は使用者が履物を履いてその表面上に載るものであることを考慮すれば、例えば陶器、ステンレススチールのような耐圧性、耐摩耗性で耐水性の材料によって作製すること、また、少なくとも表面に撥水性を有するものとするか、撥水加工を施したものとすることが好ましいが、これらの条件を満たすものであればプラスチック製とすることも勿論可能である。連通路１５内には、その天井部分をなす床材１０の厚さや強度に応じて決まる床材の幅方向の間隔で仕切り壁を設けることにより、流体通路の天井部分の強度を高めることができる。
【００２９】
段部１１の高さについては、特に使用者の歩行の障害とならず、しかも段部に設ける連通路１５のノズル１４の寸法が有効なジェット噴流を生じうる程度にする必要があるが、概ね３ｍｍ程度とし、スリット状のノズル１４の幅が２ｍｍ程度に保たれるようにすることが望ましい。
【実施例２】
【００３０】
図２は本発明の実施例２における基本構成の清掃機能付き床材２０を示す。この実施例が実施例１と異なるのは、段部２１の頂縁から床材２０の表面２０ａと平行に拡がる棚部２２の表面が床材２０の一端側面２０ｂまで続かず、段部２１に比較的に近い位置で緩斜面を介して床材の表面２０ａの高さに戻ることである。つまり、棚部２２は比較的に細幅で長い帯状に形成されることを特徴とする。
【００３１】
床材の一端側面２０ｂに開口する導入口２３と段部２１において開口するノズル２４を有する連通路２５は、床材の一端側面２０ｂの側の表面２０ａの内部から緩斜面の内部を経て細幅の棚部２２の内部を通り、段部２１のノズル２４に至る。この場合、導入口２３を一端側面２０ｂの低い位置にして緩斜面部分までの連通路２５をやや傾斜するようにすれば、緩斜面部分における屈曲度を低めうるが、棚部２２の内部からノズル２４までにおける床材表面２０ａと平行な通路部分は、ノズル２４から出るジェット噴流の向きを表面２０ａに沿わせるに充分な長さを持つものとする。
【実施例３】
【００３２】
図３Ａと３Ｂは、本発明の実施例３を示し、上記実施例１における段部から床材の一端側面まで拡がる表面をもつ棚部を複数とするもので、ここでは床材３０は３段の棚部３２ａ，３２ｂおよび３２ｃを備え、階段状あるいは棚田形に形成される。それぞれの段部３１ａ，３１ｂおよび３１ｃは互いに平行に、かつ床材３０の一端側面３０ｂについてほぼ等間隔に設けられるが、必ずしも等間隔である必要はない。要は、各段部から下流の棚部の表面が連通路３５のノズル３４からのジェット噴流の充分な流速でカバーされうる長さに設定されることである。このジェット噴流のための加圧空気源として、例えば手洗い後の濡れた手の高速乾燥機に用いられる小型の高圧遠心送風機を用いる場合であれば、段部間の間隔は概ね３０ｍｍから１００ｍｍ前後、望ましくは５０ｍｍ前後とすることが適宜である。勿論この寸法設定は、棚部３２ａ−３２ｃのそれぞれの流体通路３５をどのように構成するかによって変わる設定条件に依存する。
【００３３】
図３Ｂの断面図に示すのは、各棚部３２ａ−３２ｃを３層に重ね、連通路３５も従って３層に設け、各層の導入口３３を床材３０の一端側面３０ｂに併置する構成である。この場合、最下段の棚部、つまりここでは３段目の棚部３２ｃの連通路３５は最上段の棚部３２ａの連通路のほぼ３倍の長さを有することになり、連通路の内壁面との摩擦抵抗によって加圧空気の流速に減衰を来たすから、この減衰を減じるためには、棚部３２が下段になって長くなるに従って、断面をスリット状とする連通路３５の厚さを増やしたり、連通路３５の長さを順次短くしたりする方策が考えられる。しかし、本実施例の構成においては、例えば最下段の棚部３２ｃの段部３１ｃの真上には、最上段の棚部３２ａと２段目の棚部３２ｂの各ノズルからのジェット噴流が流れているため、段部３１ｃの頂縁の直後に負圧が生じ、この負圧によって段部３１ｃのノズルからの流体の噴出が促進される効果がある。この点は２段目の段部３１ｂについても同様である。連通路の内部抵抗を減じる意味では、連通路を層ごとに分割せず、全層分を一つの共通空間とすることも可能であり、同様に一体化した導入口は加圧空気源に接続する。
【００３４】
この実施例３においては更に、床体３０の連通路３５に対する加圧空気供給装置３６の組み込み例が示される。この例では、加圧空気供給装置３６は少なくとも床材３０の一端側面３０ｂの長さ、すなわち床材３０の幅と同じ長さを有する箱型のコンパクトな装置として用意され、加圧空気の噴出口３６ａを連通路の導入口３３に結合させて、床材の一端側面３０ｂに、上面を最上段の棚部３２ａの表面と面一にして取り付けられる。加圧空気は、例えば前述した小型の高圧遠心送風機３７を箱型の加圧空気供給装置３６内に装備し、加圧気流を噴出口３６ａに集中させるように装置内部を構成する。高圧遠心送風機３７への電力供給手段については、この送風機に接続した電源コードを加圧空気供給装置３６の上面以外のいずれかの側面に引き出し、トイレットルームの壁面の電源ソケットに接続するようにするのが一般的であり、トイレットの床面の一部となる加圧空気供給装置の上面には、使用者のステップの障害となるものは作らない、あるいは少なくとも最小限にとどめるようにすることが望ましい。また、加圧空気供給装置自体を床材と切り離してコンパクトに構成し、外部に設置する、例えば電源ソケットに直接接続したり、或いはその近傍に設置したりして、加圧空気供給端のみを床材３０の一端側面３０ｂに結合する構成とすることもできる。
【００３５】
また、図３Ｂの断面図には、床材３０の他端３０ｃ側、つまりジェット噴流の下流側に設けてジェット噴流を処理する気液分離装置３０Ａを示す。この気液分離装置３０Ａはジェット噴流にほぼ直交して立設させた壁体３０ｄでなり、この壁体３０ｄは上部に減衰空間３０ｅを区画し、下部に水洗便器の排水設備と連結した排水口３０ｆを備える。この壁体３０ｄに衝突したジェット噴流の気体分は上方に向きを変えて減衰空間３０ｅで流速を減衰され、液体分は下方に向かうので排水口３０ｆに導かれる。減衰空間３０ｅは壁体３０ｄに沿って上昇する気流の流速を減衰させるに充分な容積を持つが、空間的に制約される場合には、気体分は尿分を既に含まないから外気に解放しても外気の汚染にはならない。
【００３６】
図３Ａ，Ｂに示す構成では、床材３０の最上段の棚部３２ａの表面を清掃するジェット噴流は生じない。そこで、加圧空気供給装置３６の噴出口３６ａを床材３０の棚部３２のほぼ一段分大きく設け、その大きくした分の噴出口３６ａによって最上段の棚部３２ａの表面を清掃するようにすることもできる。そのため、加圧空気供給装置３６の高さあるいは床材３０への取り付け位置を棚部一段分高くすることもできるが、この高くした一段分の使用者ステップへ障害度は大きいから、噴出口３６ａの一部又は複数箇所の一部を加圧空気供給装置３６の上面から曲面を持って突起させ、この、あるいはこれらの突起から最上段棚部３２ａの表面へのジェット噴流を生じさせることが、障害度を最小とするには好ましい。
【００３７】
加圧空気供給装置３６はまた、この場合、その上面に空気取入孔３８を備え、高圧遠心送風機３７に空気を供給する。さらに、この上面には例えば赤外線センサによる人体感知器３９を設け、電源スイッチを含む図示しないスイッチ回路を介して高圧遠心送風機３７と接続する。スイッチ回路は前記電源コードに接続され、人体感知器３９を常時ＯＮにして置くが、一つの実施態様として人体すなわち床材３０上の使用者の存在を感知したとき電源スイッチをＯＮにし、高圧遠心送風機３７を作動させ、使用者が存在しなくなったときに電源スイッチをＯＦＦして送風を停止する。つまり、使用者が床材３０上にある間は床材３０のノズル３４からジェット噴流が生じているようにする。
【００３８】
別の実施態様では、使用者の存在を感知した後使用者が床材３０の上から離れたことを感知したとき電源スイッチをＯＮさせ、高圧遠心送風機３７を一定時間作動させる、つまり、使用者が存在しなくなってから所定時間、ジェット噴流を生じさせるようにする。また、別の態様として、ノズル３４の一部に、またはノズル３４と併設して洗浄水噴流ノズルを形成し、この洗浄水噴流ノズルに通じる導入口３３の一部と連通路３５の一部に接続した洗浄水噴流発生源を設け、スイッチ回路により、高圧遠心送風機３７の一定時間作動に先立って、使用者が存在しなくなって後所定時間だけ洗浄水噴流発生源を作動させれば、床材表面の水洗と高速払拭乾燥とを行なうことができる。
【００３９】
図３Ｂには複数の棚部３２を構成する各段部３１ａ−３１ｃの頂縁間を結ぶ一点鎖線を示す。この一点鎖線は、棚部３２の表面を水平にすれば最上段の棚部から最下段の棚部に向けて次第に下降する斜線となる。前述のように段部の高さを３ｍｍとし、段部の間隔を３０ｍｍとした場合、この斜線は棚部の表面に対して約６度の角度をなす仮想線であり、実際にこの角度の斜面が存在するわけではないが、例えばこれらの寸法で段部数を１０段とした床材３０を小便器前面に設置した場合、最上段と最下段の間には明らかな高低差があるから、健常者にはこの程度の高低差はなんら不安を感じさせないとしても、高齢者や平衡感覚器官に支障のある人にとっては問題となり得る。これを考慮すると共に、ジェット噴流の有効清掃距離も考慮した場合、段部高さはそのままとして、段部間隔は５０ｍｍから１００ｍｍの範囲として斜線角度を約３．５度ないし約２度とすることが適宜である。逆に、段部頂縁間の一点鎖線それ自体を水平にするように、棚部表面をこれら角度の斜面となるように構成することも可能である。
【００４０】
その意味では、実施例２における細幅の棚部２２を設けた床材２０は、棚部２２の上流側と下流側は高低差のない同じ水平面である点で有利である。この点は細幅の棚部２２を多数、間隔をおいて並列設置しても変わらないが、この場合、上流側の棚部からのジェット噴流が下流側の棚部の緩斜面によって斜め上向きとなり、下流側棚部からのジェット噴流と円滑に合流しない。この点を考慮した実施例４を図４に示す。ただし、斜め上向きの噴流が全く不要であるということはなく、便器使用中にジェット噴流を発生する実施態様の場合、尿の飛沫が床材の表面に達する以前に斜め上向きの噴流により空中で捕捉され、床材表面に沿って流れるジェット噴流との合流が円滑になると言う効用もあるから、後述するように積極的に斜め上向き噴流を発生させることも有用である。
【実施例４】
【００４１】
本発明の実施例４を示す図４において、方形の床材４０は全般に平坦な表面４０ａに、複数列の細幅棚部４２ａ、４２ｂ，４２ｃ…が床材の一端側面４０ｂに対しかつ互いに平行に、等間隔に設けられる。各列の細幅棚部は長さ方向において等間隔に複数の区分棚部４２ａ１，４２ａ２，４２ａ３…；４２ｂ１，４２ｂ２，４２ｂ３…；…に分割され、各列の区分棚部はまた隣接する列の各区分棚部とは互い違いになるように配置される。つまり、例えば第１列の区分棚部４２ａ１のノズル４４からのジェット噴流は第２列の区分棚部４２ｂ１と４２ｂ２との間の空間を通過して第３列の区分棚部４２ｃ１の緩斜面に至る。従って、細幅棚部を長いまま併置した場合には流体噴流は直ちに隣接の細幅棚部の緩斜面に一斉に衝突し、一斉に斜め上方に向かうことになり、全般的に見ればジェット噴流の層の厚さを増す効果が大きくなるから、飛散する尿飛沫を空中で捕らえる率が高まるので、比較的に使用中に作動する態様において高い効果を期待し得るが、図４のように区分棚部を互い違いに分散させた場合には、ジェット噴流の層厚も増すと共に噴流の直進性も強く保たれる効果があるので、実施例４は便器使用中に作動する態様と使用後に作動する態様の双方に適用し得る。
【００４２】
上記実施例のいずれにおいても、連通路は入り口から出口すなわちノズルにいたるまで断面をスリット状、つまり薄く広がる空洞状のものとして説明してきたが、これは薄く限定された空間を、最小の摩擦抵抗で流体すなわち空気又は水が通過し得る最適の通路断面形状として選択されるものである。従って連通路の幅、つまり加圧空気の流れ方向に直交する段部の長さ方向における寸法には何ら規定も限定もないが、流体通路を区画する棚部又は床材表面には使用者の荷重が反復して掛かるので、床材を構成する材料に応じて棚部又は床材表面の強度を保つために、幅方向の適宜間隔で連通路を仕切る仕切り板を設けても良い。
【００４３】
強度を重視すれば、連通路の断面形状はスリット状のものに限定されることなく、少なくともノズル部分を円形又は角型の断面の細孔とすることも可能であり、通路全体を並列に配置した多数の細孔によって形成することもできる。並列細孔による場合の構造上ないし製造上の簡易性から見れば、二枚の平板で波板を挟んだコルゲート構造体を用いても良い。
【００４４】
また、実施例１、実施例３においては棚部のノズルから出るジェット噴流はほぼ直線的に床材または次段の棚部表面に沿うものとなるので、一部を斜め上方に向けるために、例えばスリット状断面または細孔状のノズルを部分的に斜め上方に向くものとするか、一部を二重構造にし、上側のノズルを斜め上方に向くものとすることも可能である。
【実施例５】
【００４５】
図５Ａに示す本発明の実施例５は、ほぼ長方形の床材５０の長手方向の一端側面５０ｂに加圧空気供給装置５６を取り付け、他端５０ｃ側に図５Ｂに断面図で示す気液分離装置６０を取り付けると共に、床材５０の長手方向の中心線に沿って腰掛型の洋式水洗大便器７０が設置されてなる。床材としては上記の第１ないし実施例４のいずれに示すものを用いても良いが、ここでは実施例３の床材を例として用いる。
【００４６】
従って、床材５０の表面５０ａは実施例３に示す床材３０と実質的に同じ多段型に形成され、床材の一端側面５０ｂと平行な複数の段部５１ａ，５１ｂ…５１ｎで区画される棚部５２ａ，５２ｂ…５２ｎが床材の他端５０ｃに向けて高さを漸減して配列される。図示の場合、これも実施例３のものと実質的に同じ構成の加圧空気供給装置５６とこれに続く第１から第３の棚部５２ａ−５２ｃとで、水洗大便器７０の前方側に位置する前方床面部分が構成される。第３棚部５２ｃの段部５１ｃはその中央部分が水洗便器７０の前方端側壁７２に当接するから、この中央の当接部分において段部５１ｃはノズルを設けなくとも良いが、設けた場合には必要に応じてジェット噴流を便器の両側方に振り分ける手段を講じる。
【００４７】
前方床面部の下流端、ここでは第３棚部５２ｃの段部５１ｃに連続して、水洗便器７０の両側方の床面を、一対の側方床面部分を成す第４棚部５２ｄから第ｎ棚部５２ｎまでによって形成する。前方床面部分の第１の棚部５２ａからこの側方床面部分の第ｎの棚部５２ｎまでは順次多段式に高さを減じ、第ｎ棚部５２ｎの段部５１ｎ下流となる床材表面５０ａを最下段とすることは勿論である。このとき最後の段部５１ｎをどこに位置させるか、については、便座７１の縁を越えて便器７０の外に飛ぶ水滴と飛散尿滴が飛散し落下する領域をカバーするために、便座７１の後方端近辺とするのが適宜である。
【００４８】
水洗大便器７０の後背部で終端する両側方床面部の下流端を成す床材５０の他端５０ｃに連接して、一側面を開放した長方形の箱型の気液分離装置６０が設置される。図５Ｂの部分断面図に見られるように、この気液分離装置６０は、床材５０の他端５０ｃの先端に直立させた壁体６１と、壁体上部から手前に折り返した頂部６２と、頂部前端から垂下してジェット噴流の上側に位置する下端６３ａを有する上壁部６３とにより減衰空間６０ａを区画し、上壁部下端６３ａと床体表面５０ａとの間にジェット噴流の全幅を受け入れる開口６０ｂを設ける。床材の他端５０ｃの減衰空間６０ａとの対向部分に凹面をなす底部６４と、この底部６４の最下位位置に設けて水洗大便器７０の排水配管（図示しない）に接続した排水口６５を設ける。
【００４９】
前方床面部分と両側方床面部分の各段部５１ａ〜５１ｎのノズルからのジェット噴流は各棚部５２ｂ~５２ｎの各表面ないしそれより下流の床材表面５０ａを払拭清掃した後、捕捉した尿滴と共に気液分離装置６０内に開口６０ａから入り（図５Ｂ中実線矢印と破線矢印）、壁体６１に衝突したジェット噴流の気体分は流れ方向を上方に変え、減衰空間６０ａで流速を減衰し、液体分である尿滴は下方に流れて排水口６５に到る。つまり、ジェット噴流はそのままの状態で放散されることなく、気液分離装置６０により気体と液体とに分離され、それぞれ処理される。
【００５０】
上記実施例では気液分離装置６０において壁体６１の表面に水洗流を供給する構成を採らないが、分離後の液体分すなわち尿分は少量ではあっても底部６３の内面に付着する可能性があるので、この少量の尿分を洗い流す程度の少量の水洗流を、少なくともジェット噴流による清掃の停止直後に供給する手段を設けても良い。或いは、ジェット噴流として先ず水を流し、次いで空気を流すこともできる。
【００５１】
一方、分離後の気体は減衰空間６０ａで減衰させ、消滅させるが、減衰させるに充分な容積の空間の確保が困難であれば、頂部６２に解放口６６を設け、可能な範囲の空間で減衰させた後、外気に開放しても良い。その場合も、尿分は分離してあるので外気に対する汚染はない。
【００５２】
上記実施例５では、図５Ａに示す洋式腰掛型の水洗大便器７０と、本発明による清掃機能付き床材５０ならびに気液分離装置６０との組合せを示したが、この実施例の水洗大便器７０を図５Ｃに示すように和式床付け形の水洗大便器７０Ａに入れ替えることが可能である。床材５０Ａと加圧空気供給装置５６Ａならびに気液分離装置６０Ａは、図５Ａ、５Ｂについて記載した床材５０と加圧空気供給装置５６ならびに気液分離装置６０の構成をそのまま用いることができる。ただし、図５Ｃの和式水洗大便器７０Ａに対する前方床面部は段部５１Ａａと５１Ａｂを持つ棚部５２Ａａと５２Ａｂでなるものとして示すが、和式大便器の場合は洋式大便器と異なり、使用者の両足は便器の側方に置かれるので、段部５１Ａｃから５１Ａｎを持つ棚部５２Ａｃから５２Ａｎでなる側方床面部を長く、前方床面部は短くする程度の変更が必要となる。
【実施例６】
【００５３】
図６Ａ及び６Ｂに示す実施例６は、本発明による清掃機能付き床材と立設型の水洗小便器との組合せを示す。図６Ａに示すように、実質的に実施例３に示す多段式の床材でなるステップ部を含む床体８０は、立設されて使用者の排尿を受ける受面部９２とその下部をなすシンク部９６とを含む水洗小便器の本体９０と一体に形成される。勿論、この場合、床体８０と本体９０とを製造工程の初めから完全に一体にする代わりに、例えば本体９０のシンク部９６と床体８０との間を結合可能に分離して形成し、設置の際に組立結合しても良いことは言うまでもない。
【００５４】
シンク部９６から最も離れた床体８０の一端に設ける加圧空気供給装置８５を含め、床体８０は実施例３の床材３０と実質的に同じ構成を備えるが、勿論第１から第５の実施例における床材のいずれの床材も採用可能であることは言うまでもない。ただここでは、本体９０の受面部９２の前のステップ部に立った使用者の両足の間に突き出すシンク部９５の垂れ受部９６ａを比較的に長く突き出させる場合には、図５Ａの実施例５の側方床面部と同様な配列を採用することが好ましい。図６Ａでは従って最下流側の棚部８２ｎを垂れ受部９６ａの両側方部分に分けて示すが、最上流側の棚部８２ａを含み、使用者が立つステップ部の過半部分をなす、垂れ受部９６ａより上流の段部、例えば８１ａ，８１ｂのノズルからのジェット噴流が垂れ受部９６ａの両側方の床面を清掃するに充分な流速と流量を有していれば、両側方部分の棚部、ここでは８２ｎとその段部８１ｎは省略しても良い。垂れ受部９６ａの立ち上がり上縁部は、図６Ａ，６Ｂに示すように、床体８０つまりステップ部の最下流位置の高さと同じかそれ以下としてあるので、床体表面から流れるジェット噴流はなんら垂れ受部による障害なしにシンク部９６の上層に達する。換言すれば、ステップ部の最下流位置つまりシンク部９６に隣接する位置に落下付着した尿飛沫はジェット噴流に捕捉されてシンク部上層に運ばれるから、格別にステップ部に突き出す垂れ受部９６ａは設けなくとも良い。        
【００５５】
この実施例６における気液分離装置９０ａは、本体９０の受面部９２の中央下方部分に設けられ、図６Ｂの部分断面図に示す構成を有する。受面部９２は、ステップ部に立った使用者と対面する中央から両側方にかけた中央下端部分において、下向前壁９３と、壁体を成す後方周壁９４との間に減衰空間９５を設けた二重構造に形成される。受面部下端をなす下向前壁９３は、シンク部９６の底面から離間し、ステップ部表面からシンク部を越えてくるジェット噴流のほぼ上面となる位置の高さに下端９３ａを有する。減衰空間９５は、例えば本体９０の方形側背部壁面と受面部９２の半円形背壁面との間の大きな空間に連続させることにより、充分な容積を持つ。ステップ部をなす棚部８２ａ〜８２ｎからのジェット噴流によってステップ部表面から剥離され、ないしは落下中に捕捉された飛散尿でなる液体分を含むジェット噴流は直交壁体を成す後方周壁９４に衝突し、気体分は上方の減衰空間９５に導かれ、液体分はシンク部９６の排水口９７に導かれる。この場合、本体９０の上部の給水部９１から出て受面部９２の表面とこれに連続する下向前壁９３の表面を洗浄する水洗流は、例えばジェット噴流によるステップ部の清掃完了後に供給する。勿論この順序は逆でも良いが、受面部への水洗流とステップ部へのジェット噴流はそれぞれ別個に発生させることが好ましい。
【００５６】
また、実施例６における加圧空気供給装置８５の構成と動作については、図３による実施例３の構成と動作についての記載が適用され得るため、ここでは詳述を省略する。
【実施例７】
【００５７】
図７Ａおよび７Ｂに示す本発明の実施例７は、本発明による清掃機能付き床材を用いた床体と、併置して立設される複数の水洗式小便器との組み合わせ組体である。図では併置した３台の小便器と、それぞれ３台分のシンク部と床体とを一体化した組体を示すが、３台分以下又は３台分以上の組体とすることも可能である。また、床材として図３に示す実施例３のものを例として示すが、他の実施例のいずれを用いても良いことは言うまでもない。
【００５８】
実施例３と同じ構成の床材１００でなる床体は、それぞれスリット状のノズルを小便器本体１１０に向けて開口させた段部１０１ａ〜１０１ｎの各々を有する棚部１０２ａ〜１０２ｎを多段式に配列してなるとともに、頭部に共通の給水装置１１１を置いて併置した小便器本体１１０の３個の受面部１１２ａ〜１１２ｃの幅に対応する３台分の幅を有する。この床体の最上流側の一端側面において棚部１０２ａに接続する加圧空気供給装置１０３も床体と同じ３台分の幅を持ち、これら床体と加圧空気供給装置１０３の内部構成は３台分に共通する１台分として形成することがコスト上は有利であるが、１台分ごとに別個に構成することも勿論可能である。また、床体は共通構成とし、加圧空気供給装置は個別構成としても良い。両者とも共通構成とする場合のジェット噴流発生動作として、実施例３において述べた人体センサによる自動運転の代わりに、一定時間間隔による間歇運転とすることも可能である。これらの構成ならびに運転の態様は、本体１１０の受面部１１２に対する給水装置１１１の水洗流供給動作についても同様に適用される。
【００５９】
床体は、実施例６の場合と同様に、小便器本体１１０の下部に設けたシンク部１１６に対して一体に、あるいは一体結合可能に設けられる。図７Ａのような複数併置型の場合には個々の受面部１１２ａ〜１１２ｃごとに垂れ受部を、使用者のステップ位置に向け突き出させる構成とせず、シンク部１１６の床体側先端縁を全シンク部の幅にわたってステップ位置側に位置させる、つまりシンク部の奥行き寸法を大きくすることが有利である。従って、使用者が受面部１１２にできる限り近接して立つためには、使用者はシンク部に近く、つまり床体の先端縁近くに立つことになるので、床体の最下流の段部１０１ｎをできる限りシンク部に近く配置することが有利である。
【００６０】
床体の各段部１０１ａ〜１０１ｎのノズルから噴出して床体の表面を清掃したジェット噴流は、シンク部１１６の上層を吹き抜けて小便器本体１１０の受面部１１２の下部に設けた気液分離装置１１０ａに到達し、気体分は上方に導かれて減衰処理され、液体分は下方に導かれて排水処理される。気液分離装置１１０ａは、シンク部１１６の底面から離間してジェット噴流のほぼ上側の位置で終端する受面部１１２の下端１１３と、この下端１１３から後退した位置で底面から立ち上がる後方周壁１１４と、受面部下端部分と後方周壁１１４との間に設けた減衰空間１１５とでなる。この場合、減衰空間１１５は、例えば後方周壁１１４を受面部１１２の頭部まで立ち上げて、背部を完全な二重構造とすることにより十分な容積を得られるが、図７Ｂに示すように後方周壁１１４は受面部背面との対面長さをある程度確保した後、減衰空間１１５を上方に向けて開放し、受面部背面と、本組体を設置するトイレットルームの壁面との間の空隙を利用することもできる。その場合、ジェット噴流に含まれた僅かな尿分は分離されているから、トイレットルームに悪臭をもたらすことはない。
【図面の簡単な説明】
【００６１】
【図１】本発明の実施例１における清掃機能付き床材の斜視図。
【図２】本発明の実施例２における清掃機能付き床材の斜視図。
【図３Ａ】本発明の実施例３における清掃機能付き床材の斜視図。
【図３Ｂ】図３Ａの床材の縦断面図。
【図４】本発明の実施例４における清掃機能付き床材の斜視図。
【図５Ａ】本発明の実施例５における清掃機能付き床材と洋式水洗大便器の組み合わせの斜視図。
【図５Ｂ】図５Ａの組み合わせの一部の縦断面図。
【図５Ｃ】図５Ａの大便器を和式水洗大便器とした組み合わせの斜視図。
【図６Ａ】本発明の実施例６における清掃機能付き床材と水洗小便器の組み合わせの斜視図。
【図６Ｂ】図６Ａの組み合わせの一部の縦断面図。
【図７Ａ】本発明の実施例７における清掃機能付き床材と複数の水洗小便器との組み合わせ組体の斜視図。
【図７Ｂ】図７Ｂの組み合わせ組体の一部の縦断面図。
【符号の説明】
【００６２】
１０；２０；３０；４０；５０；８０；１００  床材
１１：２１；３１ａ−ｃ；４１；５１ａ−ｎ；８１ａ−ｎ；１０１ａ−ｎ  段部
１２；２２；３２ａ−ｃ；４２ａ−ｄ；５２ａ−ｎ；８２ａ，ｂ；１０２ａ−ｎ  棚部
１３；２３；３３  導入口
１４；２４；３４  ノズル
１５；２５；３５  連通路
３６；５６；８５；１０３  加圧空気供給装置
３６ａ  噴出口
３７  高圧遠心送風機
３８  空気取入孔
３９  人体感知器
３０Ａ；６０；６０Ａ；９０ａ；１１０ａ  気液分離装置
７０  洋式腰掛形水洗大便器
７０Ａ  和式床付け形水洗大便器  
９０；１１０  水洗小便器本体
【図１】
2008148963.tif 000003
【図２】
2008148963.tif 000004
【図３Ａ】
2008148963.tif 000005
【図３Ｂ】
2008148963.tif 000006
【図４】
2008148963.tif 000007
【図５Ａ】
2008148963.tif 000008
【図５Ｂ】
2008148963.tif 000009
【図５Ｃ】
2008148963.tif 000010
【図６Ａ】
2008148963.tif 000011
【図６Ｂ】
2008148963.tif 000012
【図７Ａ】
2008148963.tif 000013
【図７Ｂ】
2008148963.tif 000014